(57)【特許請求の範囲】
【請求項１】
紐の両端にグリップを取り付けた縄跳び具であって、前端に紐通し孔を設けた中空のグリップの後端開口部にハンドルを回転自在に嵌合し、ハンドルの軸心位置に配設した紐の巻取り軸の前端を、グリップの前端部軸心位置に擂鉢型のホルダーにより配設した軸受け筒に回転自在に支持させ、上記ホルダーの一側部には、ホルダーと軸受け筒とを連結すると共に、紐の巻き取り方向に傾斜した一対の連結板と軸受け筒の外側面とにより、外側が開放された誘導路を形成し、前記紐通し孔から誘導路を通過してハンドルの一側寄りに固定された紐が、ハンドルの回転により、誘導路における連結板に沿って巻取り軸に螺旋状に巻き込まれるように構成したことを特徴とする縄跳び具。
【発明の詳細な説明】
【技術分野】
【０００１】
本発明は、紐の長さが調整可能な縄跳び具に関するものである。
【背景技術】
【０００２】
実開昭６１−８０６５号公報には、グリップの後端に巻取り用のバネを設けた巻取りドラムを軸着し、その手前に紐の引き出しと巻き込みを制御する制動装置を設けた縄跳び具が開示されている。
【０００３】
この縄跳び具の紐は、グリップに設けた巻取りドラムに、細い紐を巻き込んで、グリップとグリップの間の紐の長さを調整しようとするものであるが、このような巻取り手段を、一般の縄跳び具に使用されている直径が６ｍｍ程度の紐の巻き取りに応用するときは、巻取りドラムの径を大きくする必要があり、実用化は不可能である。
【先行技術文献】
【特許文献】
【０００４】
【特許文献１】実開昭６１−８０６５号公報
【発明の概要】
【発明が解決しようとする課題】
【０００５】
本発明は、一般の縄跳び具に使用されている太い紐の長さを、使用者の身長に応じて調整し得る縄跳び具を提供することを目的としている。
【課題を解決するための手段】
【０００６】
本発明に係る請求項１の縄跳び具は、紐の両端にグリップを取り付けた縄跳び具であって、前端に紐通し孔を設けた中空のグリップの後端開口部にハンドルを回転自在に嵌合し、ハンドルの軸心位置に配設した紐の巻取り軸の前端を、グリップの前端部軸心位置に擂鉢型のホルダーにより配設した軸受け筒に回転自在に支持させ、上記ホルダーの一側部には、ホルダーと軸受け筒とを連結すると共に、紐の巻き取り方向に傾斜した一対の連結板により、外側が開放された誘導路を形成し、前記紐通し孔から誘導路を通過してハンドルの一側寄りに固定された紐が、ハンドルの回転により、誘導路における連結板に沿って巻取り軸に螺旋状に巻き込まれるように構成したことを特徴としている。
【０００７】
上記ハンドルを一方々向に回転すると、紐は巻取り軸の外周に螺旋状に順次巻き込まれ、一対のグリップ間の紐の長さが短くなる。ハンドルを反対方向に回転すると、巻取り軸に巻き付いていた紐が緩み、この緩んだ紐を紐通し孔より引き出すと、一対のグリップ間の紐が長くなる。
【０００８】
ハンドル操作により紐が紐通し孔を通過して巻取り軸に巻き込まれる場合、紐は誘導路における連結板に沿って緩やかなカーブを描きながら巻取り軸に送り込まれ、ハンドルの反転により反対に巻き込みが緩んでグリップから引き出される場合、紐は巻取り方向に傾斜した連結板に沿って緩やかなカーブを描きながら巻き取り軸に繰り出される。
【発明の効果】
【０００９】
本発明に係る請求項１の縄跳び具用グリップは、グリップの後端に嵌合したハンドルの回転操作により、一対のグリップ間の紐の長さが調整されるため、小さな子供でも容易に使用できる。またホルダーに形成された誘導路は外側が解放されているため従来一般に使用されている太目の紐であっても、巻取り軸に整然と巻き込まれ、一対のグリップ間の紐の長さを大きく伸縮することができ、子供から大人まで使用が可能である。
【００１０】
本発明に係る請求項１の縄跳び具にあっては、紐が誘導路に沿って滑らかに走行し、捩れとか絡み合いを生ずることなく、巻取り軸への巻き込み、及びグリップからの引き出しが行われるため、ハンドルを軽快に回転させることができる。従って低年齢の児童も容易に使用することができる。
【図面の簡単な説明】
【００１１】
【図１】本発明に係る縄跳び具の実施形態を示す平面図である。
【図２】同上横断面図である。
【図３】同上実施形態におけるグリップの分離状態の斜視図である。
【図４】同上グリップの先端部の縦断斜視図である。
【図５】同上グリップの後端部の縦断面図である。
【発明を実施するための形態】
【００１２】
以下、本発明に係る縄跳び具の実施形態を図１〜図５を参照して詳細に説明する。
【００１３】
符号Ａは直径が約６ｍｍの紐１の両端に取り付けた中空のグリップである。このグリップＡは、筒状のグリップ本体２と、グリップ本体２の前端に嵌合し、且つ前端中央に紐通し孔３を設けた断面円弧状のキャップ４と、グリップ本体２の後端に回転自在に嵌合したハンドル５により構成している。
【００１４】
上記キャップ４には、上下一対の係合部６を設け、この係合部６をグリップ本体２の前端部の上下に設けた連結孔７に嵌合している。また図３及び図５に示すように、グリップ本体２の後端部外周には環状溝８を周設するとともに、グリップ本体２の後端より環状溝８に通ずる上下一対の嵌め込み溝９を設け、この嵌め込み溝９より、ハンドル５の内面の上下に設けた突起１０を環状溝８に回転自在に嵌合している。
【００１５】
また環状溝８の前側で、且つ上下の嵌め込み溝９に対向する位置に、後端が前記環状溝８に接続した縦溝１１と、その先端に直交する横溝１２とよりなる鈎型のストップ機構Ｂを形成している。
【００１６】
尚、嵌め込み溝９には、突起１０が嵌め込み溝９から離脱し、ハンドル５がグリップ本体２から外れないように突部１３を設け、ストップ機構Ｂにおける縦溝１１と横溝１２には、突起１０が乗り越え可能な突部１４を設けている。更に、上下のストップ機構Ｂの前側には、ハンドル５の操作方向である左右回転方向、ストップ機構Ｂにおける縦溝方向及び横溝方向を示す矢印等によるガイド１５を表示し、ハンドル５の外側には、上下の突起１０をストップ機構Ｂの縦溝１１の位置に合致させるための目印１６を表示している。
【００１７】
上記グリップ本体２の前端部中央には、図２、図４に示すように、外周の断面形状が擂鉢型のホルダー１７の前半部に軸受け筒１８を固定し、ハンドル５の内面中央にはスライド溝１９を設けた軸受け筒２０を突設している。前記軸受け筒１８には、離脱防止用の鍔２１を設けた巻取り軸２２の前端を回転自在に嵌合し、軸受け筒２０には、前記スライド溝１９に挿入する突条２３を設けた巻取り軸２２の後端を嵌合することにより、巻取り軸２２がハンドル５とともに回転し、且つハンドル５が進退し得るように形成している。
【００１８】
また擂鉢型のホルダー１７内には、図３，図４に示すように、ホルダー１７と軸受け筒１８とを連結した一対の連結板１７ａと、連結板１７ｂ間の軸受け筒１８の外側面１８ａとにより、外側が開放された誘導路２４を形成している。この誘導路２４における一方の連結板１７ａを、紐１の巻き取り方向に傾斜させている。
【００１９】
図１，図２及び図５（ａ）に示す状態において、ハンドル５を右に僅かに回動させてハンドル５を後退させると、突起１０がストップ機構Ｂにおける横溝１２及び縦溝１１より外れ、図５（ｂ）に示すように、環状溝８内に係合する。この状態において、ハンドル５を左方向に回転すると、図２、図４に示すように、紐１は誘導路２４を通過しながら、巻取り軸２２に螺旋状に巻き付けられ、グリップ間の紐の長さが短くなる。
【００２０】
反対に、ハンドル５を右方向に回転すると、巻取り軸２２に巻き付けられていた紐１が緩むから、これをキャップ４の紐通し孔３から外側に引き出せば、グリップ間の紐１が長くなる。
【００２１】
紐１の長さを調整した後、ハンドル５の目印１６をストップ機構Ｂの位置を表示したガイド１５に合致させてハンドル５を押し込み、更に左方向に僅かに回動すれば、突起１０がストップ機構Ｂの縦溝１１から横溝１２に係合し、ハンドル５の回転が阻止される。尚、縦溝１１及び横溝１２には突起１０の移動を防止するための突部１４を設けているため、縄跳び中のハンドル５の回動が阻止される。
【００２２】
上記実施例にあっては、グリップ本体２の後端に嵌合したハンドル５を左又は右回転することにより、一対のグリップ間の紐１の長さを容易に調整することができ、従来一般の太さの紐１をグリップ内へ多量に巻き込むことができるので、小さな子供から大人までに使用することができる。
【００２３】
またグリップ本体２における擂鉢型のホルダー１７の一側部に形成された誘導路２４は、図４に示すように、外側が開放されると共に、しかも連結板１７ａは後方に及ぶに従って狭くなっていて、軸受け筒１８及び軸受け筒１８に接続した巻取り軸２の外側を後方に向かって螺旋状に傾斜している。そのため紐１は、螺旋状に回動しながら巻取り軸２２に滑らかに導入されるので、捩れとか絡み合いを生じることなく、巻取り軸に整然と巻き込まれる。その結果ハンドル５の回転が重くなるとか、回転不能になることがない。
【００２４】
尚、上記実施例において、グリップ本体２とともにハンドル５を握って縄跳び運動をすることにより、ハンドルの回転を防止し、紐が伸張しないようにすることもある。この場合はストップ機構を設ける必要がない。また図示していないが、環状溝８に多数の突部を周設し、この突部にハンドル５の突起１０を係合させて、縄跳び中のハンドル５の回転を阻止するように構成することもある。
【符号の説明】
【００２５】
Ａ        グリップ
Ｂ        ストップ機構
１        紐
２        グリップ本体
３        紐通し孔
４        キャップ
５        ハンドル
８        環状溝
１０      突  起
１７      ホルダー
１７ａ    連結板
１８      軸受け筒
２２      巻取り軸
２４      誘導路
【図１】
0005599340.tif 000002
【図２】
0005599340.tif 000003
【図３】
0005599340.tif 000004
【図４】
0005599340.tif 000005
【図５】
0005599340.tif 000006